(57)【要約】【課題】ＭＰＥＧデータを外部機器に再送信するときに、新たなエラー訂正符号の生成処理が不要とすることができるようにする。【解決手段】フロントエンド２１で、ＭＰＥＧディジタル放送信号が受信され、トランスポートストリームが復調される。フロントエンド２１からのトランスポートストリームは、デマルチプレクサ２２に供給されると共に、送信インターフェース２７に供給される。このとき、デマルチプレクサ２２に送るＴＳパケットは、エラー訂正処理を行った後に、エラー訂正符号を削除する。これに対して、送信インターフェース２７に送るＴＳパケットは、エラー訂正符号を削除しない。これにより、ＭＰＥＧデータを再送信する際に、新規にエラー訂正処理を行うことが不要になる。【選択図】        図１
2004254084.tif 000002
【特許請求の範囲】
【請求項１】
受信されたディジタル放送信号を復調する手段と、
上記復調されたストリームに対して、上記ストリームに付加されているエラー訂正符号を用いてエラー訂正処理を行う手段と、
上記エラー訂正されたストリームから上記エラー訂正符号の部分を削除して本来のストリームを形成する手段と、
上記復調されたストリームを上記エラー訂正符号を残したまま出力する手段と、
上記エラー訂正されたストリームをデコードする手段と、
外部機器と接続可能なインターフェースとを備え、
上記エラー訂正符号が残されたままのストリームを、上記外部機器と接続可能なインターフェースから出力させる
ようにしたディジタル放送受信装置。
【請求項２】
更に、上記エラー訂正符号が残されたままのストリームの同期バイトを、本来のストリームの同期バイトとは異なる同期バイトに変更する手段を有するようにした請求項１に記載のディジタル放送受信装置。
【請求項３】
上記本来のストリームは１８８バイトのＭＰＥＧのＴＰパケットからなるストリームであり、上記エラー訂正符号が付加されたストリームは、１８８バイトのＭＰＥＧのＴＰパケットに１６バイトのエラー訂正符号を付加した２０４バイトのパケットからなるストリームである請求項１に記載のディジタル放送受信装置。
【請求項４】
上記外部機器と接続可能なインターフェースは有線で上記外部機器と接続するものである請求項１に記載のディジタル放送受信装置。
【請求項５】
上記外部機器と接続可能なインターフェースは、所定のフォーマットに従って有線で外部機器と接続するものである請求項１に記載のディジタル放送受信装置。
【請求項６】
上記外部機器と接続可能なインターフェースは、無線で外部機器と接続するものである請求項１に記載のディジタル放送受信装置。
【請求項７】
エラー訂正符号が残されたままのストリームを出力することが可能とされるディジタル放送受信装置と接続される外部機器としての再生装置であって、
上記ディジタル放送受信装置から送られてきたストリームが、上記エラー訂正符号が残されたままのストリームかどうかを判断する手段と、
上記ディジタル放送受信装置から送られてきたストリームが、上記エラー訂正符号が残されたままのストリームである場合には、上記エラー訂正符号を用いてエラー訂正処理を行う手段と、
上記ディジタル放送受信装置から送られてきたストリームをデコードする手段と
を備えるようにした再生機器。
【請求項８】
上記エラー訂正符号が残されたままのストリームの同期バイトは本来のストリームの同期バイトとは異なる同期バイトに変更されており、上記ストリームの同期バイトに基づいて、上記ディジタル放送受信装置から送られてきたストリームが、上記エラー訂正符号が残されたままのストリームかどうかを判断するようにした請求項７に記載の再生機器。
【請求項９】
上記本来のストリームは１８８バイトのＭＰＥＧのＴＰパケットからなるストリームであり、上記エラー訂正符号が付加されたストリームは、１８８バイトのＭＰＥＧのＴＰパケットに１６バイトのエラー訂正符号を付加した２０４バイトのパケットからなるストリームである請求項７に記載のディジタル放送受信装置。
【請求項１０】
上記ストリームが上記ディジタル放送受信装置から送られてくる際に、送信元と受信元との間で、上記ディジタル放送受信装置から送られてきたストリームが、上記エラー訂正符号が残されたままのストリームであるかどうかの情報をやり取りするようにした請求項７に記載のディジタル放送受信装置。
【請求項１１】
受信されたディジタル放送信号を復調し、
上記復調されたストリームに対して、上記ストリームに付加されているエラー訂正符号を用いてエラー訂正処理を行い、
上記エラー訂正されたストリームから上記エラー訂正符号の部分を削除して本来のストリームを形成すると共に、
上記復調されたストリームを上記エラー訂正符号を残したまま出力し、
上記エラー訂正されたストリームをデコードし、
上記エラー訂正符号が残されたままのストリームを、上記外部機器と接続可能なインターフェースから出力させる
ようにしたディジタル放送受信方法。
【請求項１２】
更に、上記エラー訂正符号が残されたままのストリームの同期バイトを、本来のストリームの同期バイトとは異なる同期バイトに変更するようにした請求項１１に記載のディジタル放送受信方法。
【請求項１３】
上記本来のストリームは１８８バイトのＭＰＥＧのＴＰパケットからなるストリームであり、上記エラー訂正符号が付加されたストリームは、１８８バイトのＭＰＥＧのＴＰパケットに１６バイトのエラー訂正符号を付加した２０４バイトのパケットからなるストリームである請求項１１に記載のディジタル放送受信方法。
【請求項１４】
エラー訂正符号が残されたままのストリームを出力することが可能とされるディジタル放送受信装置と接続される外部機器の再生方法であって、
上記ディジタル放送受信装置から送られてきたストリームが、上記エラー訂正符号が残されたままのストリームかどうかを判断し、
上記ディジタル放送受信装置から送られてきたストリームが、上記エラー訂正符号が残されたままのストリームである場合には、上記エラー訂正符号を用いてエラー訂正処理を行い、
上記ディジタル放送受信装置から送られてきたストリームをデコードする
ようにした再生方法。
【請求項１５】
上記エラー訂正符号が残されたままのストリームの同期バイトは本来のストリームの同期バイトとは異なる同期バイトに変更されており、上記ストリームの同期バイトに基づいて、上記ディジタル放送受信装置から送られてきたストリームが、上記エラー訂正符号が残されたままのストリームかどうかを判断するようにした請求項１４に記載の再生方法。
【請求項１６】
上記本来のストリームは１８８バイトのＭＰＥＧのＴＰパケットからなるストリームであり、上記エラー訂正符号が付加されたストリームは、１８８バイトのＭＰＥＧのＴＰパケットに１６バイトのエラー訂正符号を付加した２０４バイトのパケットからなるストリームである請求項１４に記載のディジタル放送受信方法。
【請求項１７】
上記ストリームが上記ディジタル放送受信装置から送られてくる際に、送信元と受信元との間で、上記ディジタル放送受信装置から送られてきたストリームが、上記エラー訂正符号が残されたままのストリームであるかどうかの情報をやり取りするようにした請求項１４に記載のディジタル放送受信方法。
【発明の詳細な説明】
【０００１】
【発明の属する技術分野】
この発明は、ディジタル衛星放送やディジタル地上波放送のように、ＭＰＥＧ又はＭＰＥＧ２方式のストリームで送られてくるディジタル放送を受信するディジタル放送受信装置及びその受信方法、並びに、このようなディジタル放送受信装置に外部機器として接続される再生装置及びその再生方法に関するもので、特に、ディジタル衛星放送の受信装置から外部の再生装置にストリームを配信する際のエラー訂正符号の処理に係わる。
【０００２】
【従来の技術】
一般に、ＢＳ（Ｂｒｏａｄｃａｓｔ  Ｓａｔｅｌｌｉｔｅ）ディジタルやＤＶＤ（Ｄｉｇｉｔａｌ  Ｖｅｒｓａｔｉｌｅ  Ｄｉｓｃ）に代表されるＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）又はＭＰＥＧ２方式で圧縮符号化されたコンテンツ（以下、ＭＰＥＧコンテンツと称する）は、雑音に対する耐性を持たせるために、リード・ソロモン符号や畳み込み符号等のエラー訂正符号が付加されて伝送又は蓄積されることが多い。例えば、ＢＳディジタル放送では、エラー訂正符号化方式としては、外符号にリード・ソロモン符号（２０４，１８８）、内符号に、トレリス符号、畳み込み符号が用いられる。これらエラー訂正符号は、基本的には、システム毎にその伝送路の特性に対しても最も適した符号が決定されているために、必ずしも他のシステムへの転用が考慮されているわけではない。したがって、このようにエラー訂正処理を行った後、必要のなくなったエラー訂正符号部分を取り除くようにしている。あるいは、エラー訂正冗長部までを出力するが、後段の処理系において、ＭＰＥＧストリームのペイロード部分だけを抽出し、冗長部であるエラー訂正部は破棄するようにしている。
【０００３】
なお、ディジタル放送受信装置において、エラー訂正処理の後に、ＭＰＥＧデータのエラー訂正符号の部分を無効にすることについては、例えば、特許文献１に記載されている。
【０００４】
【特許文献１】
特開平１１−１３６５８９号公報
【０００５】
【発明が解決しようとする課題】
最近、ＭＰＥＧやＭＰＥＧ２フォーマットのデータ（以下、ＭＰＥＧデータと称する）を処理する製品が増加し、コンテンツについても、従来のアナログからＭＰＥＧコンテンツへと大きくシフトしてきている。また、それぞれの機器がネットワークを介して接続されるようになってきている。このような背景から、従来の放送やパッケージ販売等のコンテンツ流通系以外でも、家庭内等において、再生機器間でＭＰＥＧコンテンツの再配信をする機会が増加している。ＭＰＥＧコンテンツを再配信する際には、コンテンツの品質を保つために、各々の機器が再度エラー訂正を行う必要が生じる。
【０００６】
一般に、エラー訂正は計算量が大きくシステムに与える付加が大きいためにハードウェアによって実装されることが多い。しかし、再送信のために新規にエラー訂正回路を付け加えることはコストアップに繋がる。また、高解像度画像への要求が増すにつれて、ＭＰＥＧストリームは大容量化し、エラー訂正生成により生じる時間遅延も増加する。
【０００７】
したがって、この発明の目的は、ＭＰＥＧデータを再送信するときに、新たなエラー訂正符号の生成処理が不要とすることができるディジタル放送受信装置及び方法、並びに、外部機器として接続できる再生装置及びその再生方法を提供することにある。
【０００８】
【課題を解決するための手段】
この発明は、受信されたディジタル放送信号を復調する手段と、
復調されたストリームに対して、ストリームに付加されているエラー訂正符号を用いてエラー訂正処理を行う手段と、
エラー訂正されたストリームからエラー訂正符号の部分を削除して本来のストリームを形成する手段と、
復調されたストリームをエラー訂正符号を残したまま出力する手段と、
エラー訂正されたストリームをデコードする手段と、
外部機器と接続可能なインターフェースとを備え、
エラー訂正符号が残されたままのストリームを、外部機器と接続可能なインターフェースから出力させる
ようにしたディジタル放送受信装置である。
【０００９】
この発明は、エラー訂正符号が残されたままのストリームを出力することが可能とされるディジタル放送受信装置と接続される外部機器としての再生装置であって、
ディジタル放送受信装置から送られてきたストリームが、エラー訂正符号が残されたままのストリームかどうかを判断する手段と、
ディジタル放送受信装置から送られてきたストリームが、エラー訂正符号が残されたままのストリームである場合には、エラー訂正符号を用いてエラー訂正処理を行う手段と、
ディジタル放送受信装置から送られてきたストリームをデコードする手段と
を備えるようにした再生機器である。
【００１０】
この発明は、受信されたディジタル放送信号を復調し、
復調されたストリームに対して、ストリームに付加されているエラー訂正符号を用いてエラー訂正処理を行い、
エラー訂正されたストリームからエラー訂正符号の部分を削除して本来のストリームを形成すると共に、
復調されたストリームをエラー訂正符号を残したまま出力し、
エラー訂正されたストリームをデコードし、
エラー訂正符号が残されたままのストリームを、外部機器と接続可能なインターフェースから出力させる
ようにしたディジタル放送受信方法である。
【００１１】
この発明は、エラー訂正符号が残されたままのストリームを出力することが可能とされるディジタル放送受信装置と接続される外部機器の再生方法であって、
ディジタル放送受信装置から送られてきたストリームが、エラー訂正符号が残されたままのストリームかどうかを判断し、
ディジタル放送受信装置から送られてきたストリームが、エラー訂正符号が残されたままのストリームである場合には、エラー訂正符号を用いてエラー訂正処理を行い、
ディジタル放送受信装置から送られてきたストリームをデコードする
ようにした再生方法である。
【００１２】
外部機器に対してＭＰＥＧデータのトランスポートストリームを再送信する際に、エラー訂正符号を付加したままとしているため、外部に出力するトランスポートストリームに対して新たにエラー訂正符号を付加する必要がなく、エラー訂正符号化回路が不要である。
【００１３】
また、エラー訂正符号を除去した一般的な１８８バイトのＴＳパケットと、エラー訂正符号を除去していない２０４バイトのＴＳパケットとで、同期バイトが異なるようにしている。これにより、受信機に接続される外部機器側では、同期バイトが引き込めるかどうかにより、エラー訂正符号を除去した一般的な１８８バイトのＴＳパケットであるか、エラー訂正符号を除去していない２０４バイトのＴＳパケットであるかが判断できる。このため、システムに破綻が生じることがない。
【００１４】
【発明の実施の形態】
以下、この発明の実施の形態について図面を参照して詳細に説明する。図１において、符号１０はアンテナであり、アンテナ１０で、ディジタルテレビジョン放送波が受信される。例えば、ディジタルＢＳ放送では、周波数１２ＧＨｚ帯を使って放送が行われており、放送局からの１２ＧＨｚ帯のディジタルテレビジョン放送波は、衛星（図示せず）を介して、アンテナ１０で受信される。
【００１５】
アンテナ１０は例えばパラボラアンテナで、このアンテナ１０には、図示していないが、ＬＮＢ（Ｌｏｗ  Ｎｏｉｓｅ  Ｂｌｏｃｋ  Ｄｏｗｎ  Ｃｏｎｖｅｒｔｅｒ）が取り付けられている。アンテナ１０の受信信号は、アンテナ１０に取り付けられたＬＮＢで、例えば１ＧＨｚ帯の中間周波信号に変換される。このＬＮＢ１２からの中間周波信号がケーブルを介して受信機２０のアンテナ端子１に供給される。
【００１６】
受信機２０は、ディジタル衛星放送の受信用のセットトップボックスとして知られているもので、ディジタルテレビジョン放送の中から所望のチャンネルの信号をデコードし、映像信号と、オーディオ信号を出力するものである。受信機２０のビデオ出力端子２からは、所望の受信番組のビデオ信号が出力される。受信機２０のオーディオ出力端子３からは、所望の受信番組のオーディオ信号が出力される。
【００１７】
受信機２０の出力がテレビジョン受像機４に供給される。テレビジョン受像機４の画面には、受信番組の映像が映し出される。また、テレビジョン受像機４のスピーカからは、受信番組の音声が出力される。
【００１８】
受信機２０は、フロントエンド２１と、デマルチプレクサ２２と、デコーダ２３と、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）エンコーダ２４と、Ｄ／Ａコンバータ２５及び２６と、送信インターフェース２７と、制御回路２８とを有している。
【００１９】
アンテナ１０に取り付けられたＬＮＢからの中間周波信号は、入力端子１から入力され、受信機２０内のフロントエンド２１に入力される。フロントエンド２１は、図２に示すように、受信信号から所望のキャリア周波数の信号を選択するチューナ回路３１と、チューナ回路３１から出力された信号を復調する復調回路３２と、復調回路３２の出力に対してエラー訂正処理を行うエラー訂正回路３３とを有している。
【００２０】
ディジタルＢＳ放送では、ＢＰＳＫ（Ｂｉｎａｒｙ  Ｐｈａｓｅ  Ｓｈｉｆｔ  Ｋｅｙｉｎｇ  ）と、ＱＰＳＫ（Ｑｕａｄｒａｔｕｒｅ  Ｐｈａｓｅ  Ｓｈｉｆｔ  Ｋｅｙｉｎｇ  ）と、８ＰＳＫ（８相ＰＳＫ）とにより、階層化伝送が行われている。８ＰＳＫ変調では、１シンボル当たりの情報量は増えるが、降雨による減衰があると、エラーレートが悪化する。これに対して、ＢＰＳＫやＱＰＳＫでは、１シンボル当たりの情報量は少なくなるが、降雨による減衰があっても、エラーレートはさほど低下しない。
【００２１】
送信側では、複数のＴＳ（Ｔｒａｎｓｐｏｒｔ  Ｓｔｒｅａｍ）パケットを１スロットに対応させて、各ＴＳパケットが４８スロットで構成されるフレームにマッピングされる。各スロット毎に、変調方式や符号化方式を割り当てることができる。各スロットに割り当てられた変調方式の種別や符号化率は、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号により送られる。そして、８フレームを単位としてスーパーフレームが構成され、スロットの位置毎にインターリーブが行われる。エラー訂正符号化方式としては、外符号にリード・ソロモン符号（２０４，１８８）、内符号に、トレリス符号、畳み込み符号が用いられる。
【００２２】
フロントエンド２１の復調回路３２では、ＢＰＳＫと、ＱＰＳＫと、８ＰＳＫの復調処理が行われる。また、フロントエンド２１のエラー訂正回路３３では、ビタビ復号による内符号のエラー訂正処理と、リード・ソロモン符号による外符号のエラー訂正処理が行われる。
【００２３】
エラー訂正回路３３の出力は、冗長部削除回路３４を介して、デマルチプレクサ２９に供給される。また、エラー訂正回路３３の出力は、エラー訂正符号を除去せずに、同期バイト更新回路３５で同期バイトを更新して、送信インターフェース２７に供給される。
【００２４】
このように、フロントエンド２１からのトランスポートストリームは、デマルチプレクサ２２に供給されると共に、送信インターフェース２７に供給される。このとき、デマルチプレクサ２２に送るＴＳパケットは、エラー訂正処理を行った後に、エラー訂正符号を削除している。これに対して、送信インターフェース２７に送るＴＳパケットは、エラー訂正符号を削除しないようにしている。これは、ＭＰＥＧデータを再送信する際に、新規にエラー訂正処理を行うことを不要とするためである。
【００２５】
なお、図３に示すように、送信インターフェース２７に送るトランスポートストリームは、エラー訂正処理を行わずに、復調回路３２から直接送るようにしても良い。
【００２６】
図１において、デマルチプレクサ２２で、受信されたトランスポートストリームの中から、所望のＴＳパケットが分離される。すなわち、ＴＳパケットのヘッダ部にはパケット識別子（ＰＩＤ）が記述されている。デマルチプレクサ２２で、このＰＩＤに基づいて、所望のプログラムのビデオＰＥＳ（Ｐａｃｋｅｔｉｚｅｄ  Ｅｌｅｍｅｎｔａｒｙ  Ｓｔｒｅａｍ）パケット、オーディオＰＥＳパケット、データパケット、ＰＳＩ（Ｐｒｏｇｒａｍ  Ｓｐｅｃｉｆｉｃ  Ｉｎｆｏｒｍａｔｉｏｎ）及びＳＩ（Ｓｅｒｖｉｃｅ  Ｉｎｆｏｒｍａｔｉｏｎ）のパケットに、各パケットが分離される。
【００２７】
所望のプログラムのビデオＰＥＳパケット及びオーディオＰＥＳパケットは、デコーダ２３に供給される。ＰＳＩ及びＳＩのパケットは、制御回路２８に供給される。
【００２８】
デコーダ２３は、デマルチプレクサ２２からのビデオＰＥＳパケット及びオーディオパケットを受け取り、デコード処理を行って、ビデオ信号及びオーディオ信号を出力するものである。ビデオ信号のデコードには、例えばＭＰＥＧ２方式のが用いられる。オーディオ信号のデコードには、例えばＭＰＥＧ２−ＡＡＣ（ＭＰＥＧ２  Ａｄｖａｎｃｅｄ  Ａｕｄｉｏ  Ｃｏｄｉｎｇ  ）が用いられる。
【００２９】
デコーダ２３で復号されたディジタルビデオ信号は、ＮＴＳＣエンコーダ２４に供給される。ＮＴＳＣエンコーダ２４の出力がＤ／Ａコンバータ２５に供給される。Ｄ／Ａコンバータ２５で、ディジタルビデオ信号がアナログビデオ信号に変換される。このアナログビデオ信号がビデオ出力端子２から出力される。
【００３０】
また、デコーダ２３で復号されたディジタルオーディオ信号がＤ／Ａコンバータ２６に供給され、Ｄ／Ａコンバータ２６で、ディジタルオーディオ信号がアナログオーディオ信号に変換される。このアナログオーディオ信号がオーディオ出力端子３から出力される。
【００３１】
上述のように、この発明が適用された受信機２０には、送信インターフェース２７が設けられている。この送信インターフェース２７は、ＭＰＥＧデータを外部に出力するためのものである。
【００３２】
外部の機器にＭＰＥＧデータを伝送する場合には、伝送路でのエラーに対処するために、エラー訂正符号を付加する必要がある。ところが、エラー訂正符号化処理を行うためには、エラー訂正符号化回路が必要である。そこで、この実施の形態では、送信インターフェース２７に送るトランスポートストリームは、放送局からのトランスポートストリームに付加されていたエラー訂正符号を削除せずに、出力するようにしている。そして、通常のＴＳパケットと、エラー訂正符号が付加されたままのＴＳパケットとを区別できるようにするために、同期バイト更新回路３５で、同期バイトを更新するようにしている。
【００３３】
トランスポートストリームは、図４に示すように、１８８バイトのＴＳパケットからなる。ＴＳパケットは、図４Ａに示すように、４バイトのヘッダと、１８４バイトのペイロードとからなる。
【００３４】
図４Ｂに示すように、ヘッダの先頭には、パケットの先頭を示す８ビット（１バイト）の同期バイトが設けられている。この同期バイトには、通常、０ｘ４７（０ｘは１６進数を示す）という固定の同期バイトが書き込まれている。これに続いて、パケット中のエラーの有無を示す１ビットの誤りインジケータと、新たなＰＥＳパケットがこのトランスポートパケットのペイロードから始まることを示す１ビットのユニット開始インジケータと、このパケットの重要度を示す１ビットのトランスポートプライオリティと、個別のパケットを識別するための１３ビットのＰＩＤ（ｐａｃｋｅｔ＿ＩＤ  ）と、ペイロードのスクランブルの有無を示す２ビットのスクランブル制御と、アダプテーションフィールドの有無及びペイロードの有無を示す２ビットのアダプテーションフィールド制御と、ＰＩＤをもつパケットが途中で一部棄却されたかどうかを受信カウントの連続性で検出するための４ビットの巡回カウンタとからなる。
【００３５】
図５に示すように、ディジタルＢＳ放送では、送信側では、複数のＴＳパケットを１スロットに対応させて、各ＴＳパケットが４８スロットで構成されるフレームにマッピングされる。各スロット毎に、変調方式や符号化方式を割り当てることができる。各スロットに割り当てられた変調方式の種別や符号化率は、ＴＭＣＣ信号により送られる。そして、８フレームを単位としてスーパーフレームが構成され、スロットの位置毎にインターリーブが行われる。そして、ディジタルＢＳ放送では、エラー訂正符号化方式としては、外符号にリード・ソロモン符号（２０４，１８８）、内符号に、トレリス符号、畳み込み符号が用いられる。したがって、エラー訂正符号を含めると、１パケットのデータは、２０４バイトとなる。
【００３６】
一般的なＴＳパケットは、１８８バイトである。エラー訂正符号が除去されていないＴＳパケットは、２０４バイトである。この１８８バイトのＴＳパケットと、エラー訂正符号を残した２０４バイトのＴＳパケットとを区別するための情報が必要である。１８８バイトの一般のＴＳパケットの先頭バイトには、図６に示すように、０ｘ４７という固定の同期バイトが挿入されている。エラー訂正符号を残した２０４バイトのＴＳパケットには、図７に示すように、同期バイト０ｘ４７をビット反転させた０ｘＢ８が同期バイトとして挿入される。
【００３７】
送信インターフェース２７からトランスポートストリームを出力する場合には、この２０４バイトからなるＴＳパケットのストリームが出力される。このように、エラー訂正符号を残しておくことにより、伝送系でのエラーに対処できると共に、新たなエラー訂正符号化処理が不要になる。
【００３８】
送信インターフェース２７を介して受信機２０に接続される機器としては、ＨＤＤ（Ｈａｒｄ  Ｄｉｓｋ  Ｄｒｉｖｅ）やリムーバブルディスクにＭＰＥＧデータを記録する蓄積装置、ディジタルＶＣＲ（Ｖｉｄｅｏ  Ｃａｓｓｅｔｔｅ  Ｒｅｃｏｒｄｅｒ）やＤＶＤレコーダ、パーソナルコンピュータ、またこれらの複合商品と、多数のものが考えられる。また、受信機２０自体に、ハードディスク等にＭＰＥＧデータを記録する蓄積装置を搭載する場合もある。
【００３９】
送信インターフェース２７を介して接続する機器との間のインターフェースとしては、イーサネット（登録商標）等の有線のＬＡＮ（Ｌｏｃａｌ  Ａｒｅａ  Ｎｅｔｗｏｒｋ）や、ＩＥＥＥ８０２．１１等の無線ＬＡＮがある。また、伝送路での特別な伝送プロトコルを持たずに、トランスポートストリームをそのまま伝送する場合もある。
【００４０】
まず、最も簡単な例として、ハードディスクやリムーバブルディスクへの蓄積系を経由した伝送について説明する。図８は、ハードディスクやリムーバブルディスクへの蓄積系を経由した伝送を示すものである。この例は、伝送路で何の変調もされず、特別な伝送プロトコルもないときの例である。
【００４１】
送信インターフェース２７からは、エラー訂正符号を残した２０４バイトからなるＴＳパケットのトランスポートが出力される。前述したように、一般的には、ＴＳパケットは、エラー訂正符号を含まず、１８８バイトであり、送信インターフェース２７から出力されるＴＳパケットは、エラー訂正符号が除去されていないため、２０４バイトである。１８８バイトのＴＳパケットと、エラー訂正符号を残した２０４バイトのＴＳパケットとを区別するために、１８８バイトの一般のＴＳパケットの先頭バイトには、図６に示すように、０ｘ４７という固定の同期バイトが挿入され、エラー訂正符号を残した２０４バイトのＴＳパケットには、図７に示すように、同期バイト０ｘ４７をビット反転させた０ｘＢ８が同期バイトとして挿入される。
【００４２】
図８において、送信インターフェース２７からのトランスポートストリームがＨＤＤ３０に蓄積される。
【００４３】
ＨＤＤ３０からのトランスポートストリームが受信機７０に送られる。受信機７０は、その基本的な構成は、上述の受信機２０と同様であり、受信機７０は、エラー訂正回路７１と、デマルチプレクサ７２と、デコーダ７３と、ＮＴＳＣエンコーダ７４と、Ｄ／Ａコンバータ７５及び７６と、受信インターフェース７７と、制御回路７８とを有している。
【００４４】
受信機７０では、受信インターフェース７７で受信したトランスポートストリームのＴＳパケットの同期バイトから、１８８バイトの一般的なＴＳパケットか、２０４バイトのエラー訂正符号が残されたＴＳパケットかが判断される。
【００４５】
すなわち、図９に示すように、ＴＳパケットを復号する際に、０ｘ４７の同期バイトの引き込みができるかどうかが判断される（ステップＳ１）。０ｘ４７の同期バイトの引き込みができれば、１８８バイトの一般的なＴＳパケットであると判断される（ステップＳ２）。０ｘ４７の同期バイトの引き込みができなければ、０ｘＢ８の同期バイトの引き込みができるかどうかが判断される（ステップＳ３）。０ｘＢ８の同期バイトの引き込みができれば、２０４バイトのエラー訂正符号が残されたＴＳパケットであると判断される。
【００４６】
受信されたＴＳパケットに対して、０ｘ４７の同期バイトが引き込めれば、１８８バイトの一般的なＴＳパケットであると判断され、この場合には、そのＴＳパケットのトランスポートストリームがそのままデマルチプレクサ７２に供給される。
【００４７】
受信されたＴＳパケットに対して、０ｘＢ８の同期バイトが引き込めれば、２０４バイトのエラー訂正符号が残されたフォーマットのＴＳパケットであると判断され、この場合には、このＴＳパケットに対してエラー訂正回路７１で訂正処理が行われる。そして、エラー訂正処理されたＴＳパケットからなるトランスポートストリームが、デマルチプレクサ７２に供給される。
【００４８】
デマルチプレクサ７２で、受信されたトランスポートストリームの中から、所望のＴＳパケットが分離される。所望のプログラムのビデオＰＥＳパケット及びオーディオＰＥＳパケットは、デコーダ７３に供給される。ＰＳＩ及びＳＩのパケットは、制御回路７８に供給される。
【００４９】
デコーダ７３で復号されたディジタルビデオ信号は、ＮＴＳＣエンコーダ７４に供給される。ＮＴＳＣエンコーダ７４の出力がＤ／Ａコンバータ７５に供給される。Ｄ／Ａコンバータ７５で、ディジタルビデオ信号がアナログビデオ信号に変換される。このアナログビデオ信号が出力端子６２から出力される。
【００５０】
また、デコーダ７３で復号されたディジタルオーディオ信号がＤ／Ａコンバータ７６に供給され、Ｄ／Ａコンバータ７６で、ディジタルオーディオ信号がアナログオーディオ信号に変換される。このアナログオーディオ信号が出力端子６３から出力される。
【００５１】
受信機７０の出力がテレビジョン受像機６４に供給される。テレビジョン受像機６４の画面には、受信インターフェース７７から入力されたＭＰＥＧデータの映像が映し出される。また、テレビジョン受像機６４のスピーカからは、その音声が出力される。
【００５２】
この構成では、ＨＤＤ３０に蓄積されていたトランスポートストリームが受信機７０の受信インターフェース７７に到達すると、０ｘＢ８の同期バイトで同期引き込みが行われたＴＳパケットについては、エラー訂正回路７１で誤りが訂正された後に、デマルチプレクサ７２へ送られるために、通信品質が改善される。また、蓄積メディアから読み出したＴＳパケットが通常の１８８バイトのフォーマットであった場合には、０ｘ４７の同期バイトで同期引き込みされ、そのまま何も処理をされずに直接デマルチプレクサ７２に送出されるため、システムが破綻することはない。
【００５３】
次に、伝送路がイーサネット（登録商標）の場合について説明する。図１０は、伝送路としてイーサネット（登録商標）を使用した例である。イーサネット（登録商標）上での伝送プロトコルで最も一般的なプロトコルはＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）である。
【００５４】
この発明の実施の形態では、ストリーム伝送においてエラー訂正符号が最も有効に働くＵＤＰ（Ｕｓｅｒ  Ｄａｔａ  Ｐｒｏｔｏｃｏｌ）転送を想定している。ＵＤＰはパケット棄却や損失した場合の再送制御はサポートされないが、そのかわりに、ストリームのリアルタイム性が損なわれる可能性が低く、伝送帯域を大きく取りやすく制御も簡単になる。
【００５５】
そこで、保証されない通信品質を補うために、この実施の形態では、フロントエンド２１よりエラー訂正符号付きで同期ワード０ｘＢ８の２０４バイト単位のＭＰＥＧストリームをＩＰパケットで転送し、受信側の受信インターフェース７７で、同期ワードが０ｘＢ８であるかのどうかの判別を行い、その場合は出力先をエラー訂正回路７１としてエラー訂正を行う。
【００５６】
ここで、図８に示した蓄積系と異なるのは、同期ワード０ｘ４７を必ずしも０ｘＢ８へ置き換えなくても良い点である。伝送にイーサネット（登録商標）を使っているので、ＴＣＰ／ＩＰを通じて、ＴＳパケットが２０４バイトの独自フォーマットであることを送受信双方の制御回路が認識する手段を設ける。その実現手段については特に制限はなく、受信したＴＳパケットの同期ワードが０ｘ４７であっても、双方の制御回路が１６バイトのエラー訂正符号が付加されていることをＩＰパケット等に乗せて受信側制御回路に認識させれば、受信インターフェース７７を経たＴＳパケットはエラー訂正回路７１へと送られるように制御される。また、受信機が通常の同期ワード０ｘ４７で、１８８バイト単位のストリームを受信した場合は、エラー訂正処理はされず、インターフェースからの出力は直接デマルチプレクサ７２で送られる。
【００５７】
次に、伝送路が無線ＬＡＮの場合について説明する。図１１は、伝送路として無線ＬＡＮ（例えばＩＥＥＥ８０２．１１．ｅ）を使用した例である。
【００５８】
伝送路が無線になれば、当然、有線の場合と比べて雑音が大きく、通信品質を保つことがより困難になってくる。そこで、無線ＬＡＮとしても、最も一般的な規格であるＩＥＥＥ８０２．１１では、通信品質（ＱｏＳ）を保つための規格である８０２．１１ｅという規格が存在する。ＩＥＥＥ８０２自体はローカルエリアネットワーク（ＬＡＮ）のための規格であり、その中で伝送媒体が無線である規格が８０２．１１に相当する。
【００５９】
プロトコルレイヤで示すと、図１２のようになり、この中で８０２．１１ｅはメディア制御（ＭＡＣ：Ｍｅｄｉａ  Ａｃｃｅｓｓ  Ｃｏｎｔｏｒｏｌｅｒ）層に位置する。そして、周波数、変調方式等の物理的な伝送路を問わず、どのようにプロトコル制御することで通信品質を向上させるかに焦点を当てている。その通信品質向上のための手段の１つがエラー訂正符号であり、ディジタル放送でよく使われるリード・ソロモン符号（２５５，２３９）の短縮形が用いられていることが決められている。
【００６０】
図１３に示すように、伝送パケットのＭＡＣヘッダ中のフレーム制御バイトの最終ビットにエラー訂正符号の有り無しを記述する場所がある。このビットによってリード・ソロモン符号によるエラー訂正の有り無しを選択できるようになっている。そして、リード・ソロモン符号ありの場合は、フレーム本体のペイロード部において、１８８バイトのＴＳパケット毎に、リード・ソロモン符号のエラー訂正符号が１６バイトが付加されている。
【００６１】
そこで、この発明の実施の形態では、前述したように、フロントエンド２１よりエラー訂正符号付きのＭＰＥＧストリームを出力させ、ＩＥＥＥ８０２．１１の送信モジュール５１へ出力する手段を提供する。
【００６２】
２０４バイト単位で同期ワードが０ｘＢ８であるＭＰＥＧストリームを受け取った送信モジュール５１は、同期ワードを０ｘ４７に置き換えて、２０４バイト単位のＭＰＥＧパケットＮ個を、そのまま、図１３のフレームボディ部へ格納し、ＦＥＣ（Ｆｏｒｗａｒｄ  Ｅｒｒｏｒ  Ｃｏｒｒｅｃｔｉｏｎ）ビットに１を立てる手段を持たせる。このことによって、新たに８０２．１１の送信デバイスでエラー訂正符号の回路を持たなくて良いだけでなく、エラー訂正符号を再び生成する際に生じる時間遅延も省くことができる。
【００６３】
また、同期ワードは必ずしも０ｘＢ８でなくても良く、制御回路２８と送信モジュール５１において、出力しているＴＳパケットがエラー訂正バイト付きであるのかどうかの情報を共有していれば良い。具体的な実装方法に制限はなくＵＡＲＴ（Ｕｎｉｖｅｒｓａｌ  Ａｓｙｎｃｈｒｏｎｏｕｓ  Ｒｅｃｅｉｖｅｒ−Ｔｒａｎｓｍｉｔｔｅｒ）、ＰＣＩ（Ｐｅｒｉｐｈｅｒａｌ  Ｃｏｍｐｏｎｅｎｔ  Ｉｎｔｅｒｃｏｎｎｅｃｔ）等の汎用バスを通じてても良いし、専用線を用いたような形でも良い。
【００６４】
そして、ＩＥＥＥ８０２．１１の受信モジュール５２側では、モジュール内にエラー訂正符号が内蔵されていれば、当然その中でエラー訂正を行うことができるし、またモジュール内にエラー訂正回路がない場合でも、受信インターフェース７７での判別結果によってエラー訂正回路７１を経由させることも可能である。
【００６５】
以上説明したように、この発明が適用された受信機では、外部機器に対してＭＰＥＧデータのトランスポートストリームを出力する際に、エラー訂正符号を付加したままとしている。このため、外部に出力するトランスポートストリームに対して新たにエラー訂正符号を付加する必要がなくなる。
【００６６】
なお、この発明は、上述した実施形態に限定されるものではなく、この発明の要旨を逸脱しない範囲内で様々な変形や応用が可能である。
【００６７】
【発明の効果】
この発明によれば、外部機器に対してＭＰＥＧデータのトランスポートストリームを出力する際に、エラー訂正符号を付加したままとしているため、外部に出力するトランスポートストリームに対して新たにエラー訂正符号を付加する必要がなく、エラー訂正符号化回路が不要である。
【００６８】
また、この発明では、エラー訂正符号を除去した一般的な１８８バイトのＴＳパケットと、エラー訂正符号を除去していない２０４バイトのＴＳパケットとで、同期バイトが異なるようにしている。これにより、受信機に接続される外部機器側では、同期バイトが引き込めるかどうかにより、エラー訂正符号を除去した一般的な１８８バイトのＴＳパケットであるか、エラー訂正符号を除去していない２０４バイトのＴＳパケットであるかが判断できる。このため、システムに破綻が生じることがない。
【図面の簡単な説明】
【図１】この発明が適用された受信機の一例のブロック図である。
【図２】この発明が適用された受信機におけるフロントエンドの一例のブロック図である。
【図３】この発明が適用された受信機におけるフロントエンドの他の例のブロック図である。
【図４】ＭＰＥＧ２のトランスポートストリームの説明に用いる略線図である。
【図５】トランスポートストリームに付加されるエラー訂正符号の説明に用いる略線図である。
【図６】一般的なＴＳパケットに付加される同期バイトの説明に用いる略線図である。
【図７】エラー訂正符号を付加したままのＴＳパケットに付加される同期バイトの説明に用いる略線図である。
【図８】受信機と外部機器との間で蓄積メディアを介してストリームを伝送する例の説明に用いるブロック図である。
【図９】ＴＳパケットの判別処理の説明に用いるフローチャートである。
【図１０】受信機と外部機器との間で有線ＬＡＮを介してストリームを伝送する例の説明に用いるブロック図である。
【図１１】受信機と外部機器との間で無線ＬＡＮを介してストリームを伝送する例の説明に用いるブロック図である。
【図１２】ＩＥＥＥ８０２のレイヤ構造を示す略線図である。
【図１３】ＩＥＥＥ８０２．１１ｅで使用されるパケットの構成を示す略線図である。
【符号の説明】
１０・・・アンテナ、２０・・・受信機、２１・・・フロントエンド、２２・・・デマルチプレクサ、２３・・・デコーダ、２４・・・ＮＴＳＣエンコーダ、２７・・・送信インターフェース、３２・・・復調回路、３３・・・エラー訂正回路、３４・・・冗長部削除回路、３５・・・同期バイト更新回路
【図１】
2004254084.tif 000003
【図２】
2004254084.tif 000004
【図３】
2004254084.tif 000005
【図４】
2004254084.tif 000006
【図５】
2004254084.tif 000007
【図６】
2004254084.tif 000008
【図７】
2004254084.tif 000009
【図８】
2004254084.tif 000010
【図９】
2004254084.tif 000011
【図１０】
2004254084.tif 000012
【図１１】
2004254084.tif 000013
【図１２】
2004254084.tif 000014
【図１３】
2004254084.tif 000015